(57)【特許請求の範囲】
【請求項１】
第１の周波数帯域の音波を出力するコーン形スピーカと、
このコーン形スピーカのコーンの内側略中央にこのコーンの表面と間隔を隔てて設けられ、このコーンの開口部と略同じ方向に向かって開口するホーンを有し、上記第１の周波数帯域よりも高い第２の周波数帯域の音波を出力するホーン形スピーカと、を具備し、
上記ホーンを形成する壁面によって、上記コーンの開口部を覆うと共に、上記ホーンを形成する壁面に、この壁面の一面から他面に貫通する貫通孔を複数設け、
上記コーンの振動方向における上記コーンの表面とこのコーンの表面側に面する上記ホーンの壁面との間隔を均一にした、
コアキシャルスピーカ。
【請求項２】
上記ホーンを形成する壁面が、
上記コーンの開口部と同じ方向に向かって該ホーン内の空間を徐々に開口させる第１の壁部と、
この第１の壁部によって形成されたホーンの開口部周縁の外方と、上記コーンの開口部周縁の内方と、の間の空間を覆うと共に、上記各貫通孔が穿設された第２の壁部と、
によって構成された請求項１に記載のコアキシャルスピーカ。
【請求項３】
上記各貫通孔を上記ホーンの略中央周辺から放射状に細長く伸延するスリット状に形成した、請求項１または２に記載のコアキシャルスピーカ。
【請求項４】
上記ホーンをプラスチック製とした、請求項１、２または３に記載のコアキシャルスピーカ。
【請求項５】
上記コアキシャルスピーカが、これを収容するフレームを備えたものであって、上記ホーンの開口部周縁に、該フレームと共通の取付孔を設けた、請求項４に記載のコアキシャルスピーカ。
【発明の詳細な説明】
【０００１】
【発明の属する技術分野】
本発明は、低域用のスピーカユニットの中心部に高域用のスピーカユニットを設けたコアキシャルスピーカ（coaxial speaker ：同軸スピーカ）に関し、特に高域用のスピーカユニットとしてホーン形スピーカを用いたコアキシャルスピーカに関する。
【０００２】
【従来の技術】
上記のようなコアキシャルスピーカは、低域用のスピーカユニットと高域用のスピーカユニットとの中心が同一であるため、明確な定位感を得るのに有利であることが知られている。特に、このようなコアキシャルスピーカでは、高域用スピーカとして、高効率なホーン形スピーカを用いることが多く、このようなコアキシャルスピーカとして、従来、例えば図６に示すようなものが知られている。なお、同図（ａ）は、スピーカ全体の正面図、（ｂ）は、（ａ）におけるＡ−Ａ’断面図である。そして、同図において、１が、低域用のスピーカユニット、即ちウーハ（woofer）で、２が、高域用のスピーカユニット、即ちツィータ（tweeter ）である。
【０００３】
このうち、ウーハ１は、一般によく知られているコーン形のスピーカで構成されている。即ち、同図（ｂ）において、１０は、中空部１０ａを有する円環状のベースで、このベース１０の中央に、上記中空部１０ａと同じ内径で、かつこの中空部１０ａに連通する中空部１１ａを有する円筒状のポールピース１１が結合されている。そして、上記ベース１０の上記ポールピース１１が結合されている側の面上には、上記ポールピース１１の周囲をこのポールピース１１の外周壁から少し間隔を隔てて囲む状態に、比較的に厚みのある円環状のマグネット１２が載置されている。更に、このマグネット１２上には、上記ポールピース１１の周囲をこのポールピース１１の外周壁に近接した状態で囲むように、円環状のプレート１３が結合されており、これによって、マグネット１２→ベース１０→ポールピース１１→プレート１３→マグネット１２の順（または、これと逆の順）でループする磁界上の閉ループを形成している。
【０００４】
そして、上記ポールピース１１の外周壁とプレート１３の内周壁との間の狭い空間、即ち上記磁界の閉ループ内に、薄い円筒状の巻芯１４の一端側に捲着されたボイスコイル１５が、宙吊り状態で配置されている。更に、上記巻芯１４の他端側には、例えばカーブド・コーン形のコーン１６の頂部が結合されており、このコーン１６の開口部周縁には、エッジ１７が形成されている。なお、同図における１８は、底のない概略椀状、若しくはこの底のない椀の壁面の一部を切り欠いた形状のフレーム（筐体）で、このフレーム１８の底部（上記椀の底に対応する部分）は、上述したプレート１０に固定されている。そして、このフレーム１８の開口部周縁（上記椀の縁に対応する部分）に、上記ホーン１６のエッジ１７が、例えばガスケット１９により固定されている。また、フレーム１８の内側の上記底部近傍に、スパイダ２０を介して、上記巻芯１４が結合されており、これによって、上記ボイスコイル１５の宙吊り状態が保持されている。
【０００５】
一方、ツィータ２は、上述したようにホーン形のスピーカで構成されている。このホーン形スピーカを構成するホーン２１は、その断面形状が、同図（ｂ）に示すように、エクスポーネンシャル形であり、その開口部（マウス）２１ａの正面形状は、同図（ａ）に示すように、８角形である。そして、このツィータ２は、上記ホーン２１の開口部２１ａを、上記コーン１６の開口部１６ａと同じ方向に向けた状態で、上記コーン１６の内側略中央に配置されている。そして、ホーン２１のスロート部２１ｂを、上述したコーン形スピーカ１のポールピース１１及びベース１０にそれぞれ設けられた中空部１１ａ及び１０ａに嵌合させた状態で保持されており、このスロート部２１ｂに、このツィータ２用のドライバ２２が結合されている。
【０００６】
このドライバ２２は、一般によく知られているホーン形スピーカ用のドライバユニットと同様のものである。即ち、同図（ｂ）に示すように、このドライバ２２は、上記スロート部２１ｂの内径と略同じ径の中空部２３ａを有する円環状のベース２３を備えており、このベース２３の一面（同図（ｂ）における上方の面）に、上記スロート部２１ｂが結合されている。そして、このベース２３の他面、即ちスロート部２１ｂが結合された側とは反対側の面の中央には、このベース２３の中空部２３ａと同じ内径で、かつこの中空部２３ａに連通する中空部２４ａを有する円筒状のポールピース２４が結合されている。更に、ベース２３の上記ポールピース２４が結合されている側の面には、上記ポールピース２４の周囲をこのポールピース２４の外周壁から少し間隔を隔てて囲む状態に、円環状のマグネット２５が結合されている。そして、このマグネット２５の上記ベース２３が位置する側とは反対側の面には、上記ポールピース２４の周囲をこのポールピース２４の外周壁に近接した状態で囲むように、円環状のプレート２６が結合されており、これによって、マグネット２５→ベース２３→ポールピース２４→プレート２６→マグネット２５の順（または、これと逆の順）でループする磁界上の閉ループを形成している。
【０００７】
そして、上記ポールピース２４の外周壁とプレート２６の内周壁との間の狭い空間、即ち上記磁界上の閉ループ内に、ボイスコイル２７が、宙吊り状態で配置されており、このボイスコイル２７に、ドーム形の振動板２８が、その凸面を上記ホーン２１とは反対の方向に向けた状態で結合されている。なお、この振動板２８の周縁端部は、弾性体２８ａを介して上記プレート２６に固定されている。更に、この振動板２８の凹面側であって、かつ上記スロート部２１ｂ内に連通するベース２３及びポールピース２４の各中空部２３ａ及び２４ａ内には、この振動板２８の中央部から放射される音波の位相と周辺部から放射される音波の位相とのずれを揃えるためのイコライザ２９が設けられている。そして、振動板２８は、これを外力から保護するために、保護カバー３０により覆われている。
【０００８】
なお、図６（ａ）において、このコアキシャルスピーカの前面の周縁に設けられている４つの円孔４０、４０、・・・は、このスピーカを例えば天井や壁、或いはエンクロージャ等に取り付ける際の取付孔である。
【０００９】
上記のように、このコアキシャルスピーカによれば、ウーハ１とツィータ２との中心を同一としているので、明確な定位感が得られ、かつツィータ２としてホーン形スピーカを用いているので、高域における高効率化を実現できるという利点がある。しかし、その反面、ウーハ１の内側にツィータ２を設け、かつツィータ２としてホーン形スピーカを用いるという上記構造を採用することによって、次のような問題を生じる。
【００１０】
即ち、ツィータ２を構成するホーン２１の開口部２１ａの口径を大きくすると、その分、ウーハ１（コーン１６）の表面が覆われて、このウーハ１の出力が損なわれる。従って、ホーン２１の開口部２１ａをあまり広げることができない。このように、ホーン２１の開口部２１ａの寸法が制限されると、例えば、ドライバ２２側に掛かる放射インピーダンスの乱れを軽減するというホーン形スピーカの特徴を十分発揮できず高い効率が得られなかったり、或いはホーン２１の開口部２１ａの周縁（エッジ）において、このツィータ２の出力する音波に乱れが生じる等の問題が生じる。
【００１１】
【発明が解決しようとする課題】
即ち、本発明が解決しようとする問題点は、上記従来のコアキシャルスピーカでは、ツィータ２を構成するホーン２１の開口部２１ａを、十分な大きさに広げることができないという点である。
【００１２】
そこで、本発明は、ウーハの出力を損なうことなく、ツィータを構成するホーンの開口部を十分な大きさに広げることのできるコアキシャルスピーカを提供することを目的とする。
【００１３】
【課題を解決するための手段】
上述した目的を達成するために、本発明は、第１の周波数帯域の音波を出力するコーン形スピーカと、
このコーン形スピーカのコーンの内側略中央にこのコーンの表面と間隔を隔てて設けられ、このコーンの開口部と略同じ方向に向かって開口するホーンを有し、上記第１の周波数帯域よりも高い第２の周波数帯域の音波を出力するホーン形スピーカと、を具備し、
上記ホーンを形成する壁面によって、上記コーンの開口部を覆うと共に、上記ホーンを形成する壁面に、この壁面の一面から他面に貫通する貫通孔を複数設けたことを特徴とするものである。
【００１４】
本発明によれば、コーン形スピーカは、第１の周波数帯域、例えば低域の音波を出力するウーハとして機能する。一方、ホーン形スピーカは、上記第１の周波数帯域よりも高い第２の周波数帯域、例えば高域の音波を出力するツィータとして機能する。そして、ツィータは、ウーハの内側略中央に配置されており、即ち、これらウーハとツィータとは、それぞれの中心が同一とされている。
【００１５】
ここで、ツィータを構成するホーン形スピーカのホーンは、その壁面、即ち開口部が、上記ウーハを構成するコーン形スピーカの開口部を覆う程度に、十分な大きさにまで広げられている。従って、例えば、ドライバ側に掛かる放射インピーダンスの乱れを軽減するというこのホーン形スピーカの特徴を十分に発揮できる。また、ホーンの開口部周縁において、このホーン形スピーカ（ツィータ）の出力する音波に乱れが生じるのを防ぐこともできる。そして、このように、ホーンの壁部によってウーハの開口部を覆っているものの、上記ホーンの壁部には、その一面から他面に貫通する貫通孔を複数設けているので、ウーハの出力する音波は、これら複数の貫通孔を介して、外部に出力される。従って、ウーハの出力が損なわれることはない。
【００１６】
なお、コーンの表面と、このコーン表面側に面するホーンの壁面とは、互いに近接させるのが、望ましい。
【００１７】
即ち、ツィータを構成するホーンに貫通孔を設けても、このホーンの壁面と、ウーハを構成するコーンの表面との間隔が大きい場合には、これら両者間の空間に存在する空気が、エアクッションとして作用することがある。この場合、ウーハによる空気の振動、即ちウーハの出力音が、上記エアクッションに吸収されてしまい、結果的に、ウーハの出力音が外部に出力されなくなることがある。そこで、ホーンの壁面と、ウーハを構成するコーン表面とを、互いに近接させることによって、これら両者間の空間が上記のようなエアクッションとして作用するのを抑制でき、ウーハの出力効率を向上させることができる。
【００１８】
また、上記のように、ホーンの壁面とコーン表面との間隔を狭くすることによって、ウーハから出力される音波が干渉し合う。このとき、上記間隔（距離）に応じた波長の音波、即ち比較的に高周波数の音波が、互いに打ち消し合って、この高周波数の音波は、外部に出力されなくなる。即ち、ウーハとツィータとから成るコアキシャルスピーカにおいては、不要とも言えるウーハの高周波成分が、外部に出力されなくなる。
【００１９】
そして、この場合、コーンの振動方向における当該コーンの表面とこのコーンの表面側に面するホーンの壁面との間隔を、均一にする。
【００２０】
このようにすれば、ホーンの壁面とコーン表面との間隔、即ち微小なエアクッションとして作用すると共に一種の高周波除去装置として機能する部分が、ウーハ前面において均一になる。
【００２１】
さらに、ホーンを形成する壁面は、コーンの開口部と同じ方向に向かって当該ホーン内の空間を徐々に開口させる第１の壁部と、この第１の壁部によって形成されたホーンの開口部周縁の外方とコーンの開口部周縁の内方との間の空間を覆うと共に各貫通孔が穿設された第２の壁部と、によって構成されたものであってもよい。
【００２２】
なお、ここで言う第１の壁部が、ホーン形スピーカのドライバの出力音を外部に伝搬させる音響管に対応する。そして、第２の壁部は、この音響管の開口部周縁の外方と、上記コーンの開口部周縁の内方と、の間の空間を塞ぐと共に、上記各貫通孔が穿設されたものである。
【００２３】
即ち、この構成によれば、第１の壁部によって構成されたホーンの開口部周辺に、第２の壁部によって一種のバッフルが設けられたのと略等価な状態となる。従って、ホーンの開口部周縁において、このホーンから出力される音波に乱れが生じるのを抑制できる。
【００２４】
そしてさらに、各貫通孔を、上記ホーンの略中央周辺から放射状に細長く伸延するスリット状に形成してもよい。
【００２５】
つまり、各貫通孔は、スリット状の孔であり、これら各スリットは、ホーンの中央周辺から放射状に、即ちホーンの中央を中心として点対称状に、形成（配置）される。このようにすれば、例えば上記各貫通孔を単なる丸孔とし、これらを不規則に形成（配置）した場合に比べて、上記ウーハの出力音を、均一にかつ効率よく、外部に出力させることができる。
【００２６】
また、上記ホーンを、プラスチック製とすれば、量産化に有利である。特に、例えば発泡ポリスチレン製とすれば、軽量化をも実現できる。
【００２７】
この場合、コアキシャルスピーカが、これを収容するフレームを備えたものであって、上記ホーンの開口部周縁に、該フレームと共通の取付孔、例えば固定用ネジ孔を設けたものとしてもよい。
【００２８】
このようにすれば、本発明のコアキシャルスピーカを、例えば天井や壁等に設置する際には、上記取付孔を介して、例えばネジ止めすればよい。また、特に、このスピーカを天井スピーカや壁埋込形スピーカとして使用する場合には、ホーンが、パンチング・ネット（取付ネット）として機能するので、当該パンチングネットを別に設ける必要もない。
【００２９】
【発明の実施の形態】
本発明に係るコアキシャルスピーカの一実施の形態について、図１及び図２を参照して説明する。
【００３０】
図１は、本実施の形態のスピーカの構成を示す図で、（ａ）は、スピーカ全体の正面図、（ｂ）は、（ａ）におけるＢ−Ｂ’断面図である。同図に示すように、この本実施の形態のスピーカが、上述した図６に示す従来のスピーカと異なるところは、ツィータ２を構成するホーン２１の壁部２１ｃに厚みを付けると共に、このホーン２１の開口部２１ａの周縁、厳密にはこの開口部２１ａに面する上記壁部２１ｃの周縁を、ウーハ１を構成するコーン１６の開口部１６ａ周縁まで広げ、これによって、上記ホーン２１の壁部２１ｃにより上記コーン１６の開口部１６ａを覆う状態に構成したところである。
【００３１】
そして、上記ホーン２１の壁部２１ｃには、ホーン２１の中央周辺、詳しくはホーン２１の開口部２１ａの周辺から、放射状に細長く伸延するスリット状の貫通孔２１ｄ、２１ｄ、・・・を、複数設けている。従って、ウーハ１のコーン１６表面は、上記ホーン２１の壁部２１ｃによって覆われているものの、このコーン１６による出力音は、上記各貫通孔２１ｄ、２１ｄ、・・・を介して、外部に出力される。なお、これ以外の構成については、上記図６の従来技術と同様であるので、これら同等部分には、上記図６と同一符号を付して、その詳細な説明を省略する。
【００３２】
即ち、本実施の形態によれば、上記のように、ツィータ２を構成するホーン形スピーカのホーン２１の開口部２１ａを、ウーハ１を構成するコーン形スピーカのコーン１６の開口部１６ａを覆う程度にまで広げている。そして、ウーハ１の出力が損なわれることのないように、上記ホーン２１の壁部２１ｃに、ウーハ１の出力音を外部に通過させるための複数の貫通孔２１ｄ、２１ｄ、・・・を設けている。従って、ウーハ１の出力を損なうことなく、ツィータ２を構成するホーン２１の開口部２１ａを十分な大きさに広げることができる。
【００３３】
よって、例えばツィータ２のドライバ２２側に掛かる放射インピーダンスの乱れを軽減するというこのツィータ２を構成するホーン形スピーカの特徴を十分に発揮できる。また、ホーン２１の開口部２１ａ周縁において、このツィータ２の出力音に乱れが生じるのを防ぐこともでき、即ち、上述した従来技術における問題点を解消できる。
【００３４】
ところで、上記ホーン２１の壁部２１ｃは、本実施の形態においては、これを例えば発泡ポリスチレン製としている。これにより、量産化に対応でき、また、スピーカ全体の軽量化を実現できる。勿論、この発泡ポリスチレン以外の材質、例えばアクリル等のプラスチックや、各種金属等を用いてもよいが、この場合、上記のように、量産化及び軽量化の両方を共に実現できないことがあることは言うまでもない。
【００３５】
そして、本実施の形態においては、上記ホーン２１の壁部２１ｃに厚みを付けることによって、この壁部２１ｃの上記コーン１６に面する側の壁面と、このコーン１６の表面との間隔（クリアランス）を、狭くしている。ここで、もし、例えば上記ホーン２１の壁部２１ｃに厚みを付けない等により、この壁部２１ｃ表面とコーン１６表面との間隔αを広くした場合には、これら両者間の空間に存在する空気が、エアクッションとして作用することがある。この場合、ウーハ１（コーン１６）による空気の振動、即ちウーハ１の出力音が、上記エアクッションに吸収されてしまい、結果的に、ウーハ１の出力音が外部に出力されなくなることがある。これに対して、本実施の形態においては、上記のようにホーン２１の壁部２１ｃ表面とコーン１６表面との間隔を狭くしているので、これら両者間の空間が上記のようなエアクッションとして作用するのを抑制できる。
【００３６】
また、上記のように、ホーン１６の壁部１６ｃ表面とコーン１６表面との間隔を狭くすることによって、ウーハ１（コーン１６）から出力される音波が干渉し合う。このとき、上記狭い間隔（距離）に応じた波長の音波、即ち比較的に高周波数の音波が、互いに打ち消し合うので、この高周波数の音波は、外部に出力されなくなる。即ち、ウーハ１とツィータ２とから成るコアキシャルスピーカにおいては、不要とも言えるウーハ１の高周波成分が、外部に出力されなくなるので、より理想的な出力音を期待できる。
【００３７】
なお、上記ホーン２１の壁部２１ｃ表面とコーン１６表面との間隔は、図２に示すように、コーン１６の振動方向において、ホーン２１の壁部２１ｃ表面とコーン１６表面との各位置、即ちウーハ１の前面で、均一（即ち同図においてα＝α’）とされている。従って、コーン１６の表面から垂直な方向に対する上記ホーン２１の壁部２１ｃ表面との間隔β及びβ’は、ウーハ１前面の場所によっては異なる（即ちβ≠β’となる）ことになる。なお、ここでは、ウーハ１（コーン１６）の直径が、例えば２５ｃｍであるとき、上記コーン１６の振動方向における間隔α（またはα’）を、例えばα＝６ｍｍとしている。
【００３８】
このように、コーン１６の振動方向における上記ホーン２１の壁部２１ｃ表面とコーン１６の表面との間隔α（またはα’）を、ウーハ１の前面の各位置において均一とすることによって、微小ではあるが上記エアクッションとして作用する部分及び一種の高周波除去装置として機能する部分の均一性を図ることができる。従って、ウーハ１の出力音として、均一性の取れた高音質の音を得ることができる。
【００３９】
更に、本実施の形態においては、上記のように、ウーハ１の出力音を通過させる各貫通孔２１ｄ、２１ｄ、・・・を、ホーン２１の中央（詳しくは開口部２１ａ周辺）から放射状に、即ちホーン２１の中央を中心として点対称に、設けている。従って、例えば上記各貫通孔２１ｄ、２１ｄ、・・・を単なる丸孔とし、これらを不規則（ランダム）に設けた場合に比べて、上記ウーハ１の出力音を、均一にかつ効率よく、外部に出力させることができる。
【００４０】
そして、上記図１（ａ）において、ホーン２１の開口部２１ａに面する壁部２１ｃ周縁に設けられている切り欠き付きの４つの円孔５０、５０、・・・は、このコアキシャルスピーカを例えば天井や壁、或いはエンクロージャ等に取り付ける際の取付孔で、上述したフレーム１８と共通の取付孔とされている。従って、このコアキシャルスピーカを、上記天井や壁、エンクロージャ等に取り付ける際には、上記各取付孔５０、５０、・・・を介して例えばネジ止めすればよい。特に、このスピーカを天井や壁面に取り付ける場合、即ちこのスピーカを天井スピーカや壁埋込形スピーカとして使用する場合には、上記ホーン２１（壁部２１ｃ）表面が、パンチング・ネット（取付ネット）として機能するので、このパンチングネットを別に設ける必要もない。
【００４１】
なお、図１に示すコアキシャルスピーカにおいては、コーン１６の形状を、カーブド・コーン形としているが、これに限らず、例えばフラット・コーン形やパラボリック・コーン形等の他の形状としてもよい。また、ホーン２１についても、その形状を、エクスポーネンシャル形としたが、これ以外のパラボリック形やコニカル形、或いはハイ・パボリック形としてもよい。
【００４２】
そして、ウーハ１及びツィータ２用の各ドライバ部分は、図１（ｂ）に示すような構造に限定されるものではない。即ち、上記図１による各ドライバ部分は、ダイナミック（動電）形のものであるが、これ以外の、例えばマグネチック（電磁）形やコンデンサ（静電）形等、他の構造としてもよい。
【００４３】
また、図１（ｂ）に示すように、ツィータ２のドライバ２２を、ウーハ１の後部（同図（ｂ）における下方）、即ちウーハ１の外方に設けたが、このドライバ２２を含むツィータ２全体を、ウーハ１内に、即ちウーハ１を構成するコーン１６の内側の空間内に配置してもよい。
【００４４】
更に、上記図１から判るように、ホーン２１の壁部２１ｃについては、これを一体に形成するのではなく、例えばこのホーン２１の内部、即ちドライバ２２から出力された音波を外部へ導く音響管として機能する部分２１ｅと、この部分２１ｅが形成する開口部２１ａ周縁とコーン１６の開口部１６ａ周縁とに面する部分２１ｆとを、それぞれ別個の部品で構成してもよい。この場合、上述した図６に示す従来のコアキシャルスピーカに対して、上記ホーン２１の開口部２１ａ周縁の外方とコーン１６の開口部１６ａ周縁の内方との間の空間を塞ぐように、例えば各貫通孔２１ｄ、２１ｄ、・・・が穿設された板状体、若しくはこの板状体に厚みを設けたものを追加すればよい。
【００４５】
これによって、上記ホーン２１の開口部２１ａ周縁に所謂バッフルを設けたのと略等価な状態となり、よって、このホーン２１の開口部２１ａ周縁において、ホーン２１からの出力音に乱れが生じるのを抑制でき、即ち上記と同様な効果を奏する。なお、この場合、上記音響管として機能する部分２１ｅが、特許請求の範囲に記載の第１の壁部に対応し、上記各開口部１６ａ及び２１ａに面する部分２１ｆが、第２の壁部に対応する。
【００４６】
【実施例】
上述した実施の形態のコアキシャルスピーカの実施例として、その性能検査を行なった結果を、図３から図５に示す。
【００４７】
図３は、ウーハ１の出力をＯＦＦして（ウーハ１の入力を零として）、ツィータ２のみの出力を正面（０度）で測定した周波数特性図で、同図における実線のグラフが、本発明に係る実施の形態の測定結果、点線のグラフが、上記従来技術の測定結果である。
【００４８】
この図３から、従来技術によれば、約５ｋＨｚ以上という比較的に高い周波数領域において、その特性が乱れている（上下にばらついている）ことが判る。これに対して、本発明に係る実施の形態によれば、上記従来技術程の大きい乱れは生じておらず、比較的に安定した特性が得られていることが判る。
【００４９】
図４は、ウーハ１の出力をＯＦＦして（ウーハ１の入力を零として）、ツィータ２のみの出力を測定したもので、（ａ）は、ツィータ２の正面（０度）における音圧レベルを基準として、左右１５度における音圧レベルを相対的に表わした周波数特性図、（ｂ）は、ツィータ２の正面（０度）における音圧レベルを基準として、左右３０度における音圧レベルを相対的に表わした周波数特性図である。そして、各図における実線のグラフが、本発明に係る実施の形態の測定結果、点線のグラフが、上述した従来技術の測定結果である。なお、このツィータ２については、周波数が２００Ｈｚから２０ｋＨｚまでの間を、測定対象としている。
【００５０】
上記図４から、約２ｋＨｚ以上の周波数、即ちこのツィータ２が受け持つ周波数領域において、従来技術によれば、その特性が乱れている（上下にばらついている）ことが判る。これに対して、本発明に係る実施の形態によれば、上記従来技術のような乱れは生じておらず、比較的に安定した特性が得られていることが判る。
【００５１】
また、図５に、ウーハ１の出力特性を示す。同図は、ツィータ２の出力をＯＦＦして（ツィータ２の入力を零として）、ウーハ１のみの出力をウーハ１の正面（０度）で測定した周波数特性図で、同図における実線のグラフが、本発明に係る実施の形態の測定結果、点線のグラフが、上記従来技術の測定結果である。
【００５２】
この図５から、従来技術によれば、上記ツィータ２が受け持つ２ｋＨｚ以上の周波数領域においても、比較的に大きい音圧レベルとなっている。これに対して、本発明に係る実施の形態によれば、上記ツィータ２とのクロスオーバ周波数となる２ｋＨｚ付近で、音圧レベルが持ち上がり、この２ｋＨｚ以上の周波数領域においては、上記従来技術に比べて、急激にレベルが降下することが判る。即ち、本発明に係る実施の形態によれば、本来ツィータ２が受け持つ周波数領域において、ウーハ１の出力を抑制できることが判る。
【００５３】
【発明の効果】
以上のように、本発明のコアキシャルスピーカによれば、ツィータを構成するホーン形スピーカのホーンの開口部を、ウーハを構成するコーン形スピーカの開口部を覆う程度にまで広げている。そして、ウーハの出力が損なわれることのないように、上記ホーンの壁面に、ウーハの出力音を外部に通過させるための複数の貫通孔を設けている。従って、ウーハの出力を損なうことなく、ツィータを構成するホーンの開口部を十分な大きさに広げることができる。これによって、例えばドライバ側に掛かる放射インピーダンスの乱れを軽減するというツィータを構成するホーン形スピーカの特徴を十分に発揮でき、また、ホーンの開口部周縁において、このホーン形スピーカの出力する音波に乱れが生じるのを防ぐこともできる。即ち、上述した従来技術における問題点を解消できる。また、ホーンの壁面とコーン表面との間隔、即ち微小なエアクッションとして作用すると共に一種の高周波除去装置として機能する部分が、ウーハ前面において均一であるので、ウーハの出力音として、均一性の取れた質のよい音を得ることができる。
【図面の簡単な説明】
【図１】  本発明に係るコアキシャルスピーカの一実施の形態を示す図で、（ａ）は、正面図、（ｂ）は、（ａ）におけるＢ−Ｂ’断面図である。
【図２】  図１（ｂ）の部分拡大図である。
【図３】  同実施の形態の実施例としてツィータの周波数特性を表わしたグラフである。
【図４】  同実施の形態の実施例としてツィータの周波数特性を表わしたグラフで、（ａ）は、ツィータの正面（０度）の音圧レベルを基準としたときの左右１５における音圧レベルを相対的に表わしたグラフ、（ｂ）は、上記正面の音圧レベルを基準としたときの左右３０における音圧レベルを相対的に表わしたグラフである。
【図５】  同実施の形態の実施例としてウーハの周波数特性を表わしたグラフである。
【図６】  従来のコアキシャルスピーカの一例で、（ａ）は、正面図、（ｂ）は、（ａ）におけるＡ−Ａ’断面図である。
【符号の説明】
１  ウーハ
２  ツィータ
１６  コーン
１６ａ  開口部
２１  ホーン
２１ａ  開口部
２１ｃ  壁部
２１ｄ  貫通孔
【図１】
0003701779.tif 000002
【図２】
0003701779.tif 000003
【図５】
0003701779.tif 000004
【図３】
0003701779.tif 000005
【図４】
0003701779.tif 000006
【図６】
0003701779.tif 000007